(57)【要約】【課題】  ファッションは美しさや洗練された外見を求めるものであるが、一方で、意外性や単に目立つことを求める場合がある。例えば、高級ブランド品で身を固めた女性の着ている服に突然大きな破れ目を見つけたら、誰もがあっと驚くであろう。それをジョークとして手軽に実現できれば、それは実用的なファッションとなる。【解決手段】  布や皮革、ゴムなどの薄膜状のものであって、素肌や下着の近似色を着色したもの、或いは外側に着用するスーツ等の下側に着する衣類の紋様を施した、あたかも破れ目や継ぎ接ぎと見えるシールを、軟接着材によりスーツ等の表面に張り付ける構造を特徴とする。【選択図】  図２
2004263364.tif 000002
【特許請求の範囲】
【請求項１】
布、紙、皮革、ゴム、ビニール、軟質プラスチック等の薄膜状の、着衣に張り付けられる程度の小片であって、素肌や下着の近似色を着色したもの、または一般に最外側に着用するスーツ等の下側に着する衣類の紋様を施したものを、ピン留めまたは軟接着材により前記最外側に着用するスーツ等の表面に張り付けられる構造としたことを特徴とする破れ目継ぎ接ぎシール。
【請求項２】
前記最外側に着用するスーツ等の破れてめくれ上がった紋様を施したもの、または破れてめくれ上がった部分を実際に取り付けたものを含むことを特徴とする請求項１に記載する破れ目継ぎ接ぎシール。
【請求項３】
布、紙、皮革、ゴム、ビニール、軟質プラスチック等の薄膜状の、着衣に張り付けられる程度の小片であって、前記最外側に着用するスーツ等の近似色または反近似色に着色し、ピン留めまたは軟接着材により前記最外側に着用するスーツ等の表面に張り付けられる構造としたことを特徴とする破れ目継ぎ接ぎシール。
【請求項４】
請求項１及び請求項３に記載の軟接着材には、マジックテープ（登録商標）、または磁性シートと磁気シートにより前記最外側に着用するスーツ等を表裏から挟むことを含む請求項１〜請求項３に記載する破れ目継ぎ接ぎシール。
【発明の詳細な説明】
【技術分野】
【０００１】
本発明は、衣服等に張り付けで楽しむシールに関するものである。
【背景技術】
【０００２】
いわゆるファッションには２面性があり、一般には美しさや洗練された外見が求められるが、一方で、意外性やアイデンティティの主張と称し単に目立つことだけが求められる場合もある。一時期、パンクファッションと言われ、わざと破れたジーンズを身に付けることが流行し、アメリカでは新品に散弾銃で穴を空けてそれを製作したと言われている。ガングロなどのように具体的なものは廃れることは早いが、何処においても、人を思わずハッとさせる新たなファッションのニーズはこれからも廃れることはない。
【特許文献１】特開  ２００１−３２８３９６
【特許文献２】特開  ２０００−１７７２９８
【発明の開示】
【発明が解決しようとする課題】
【０００３】
高級ブランド品で身を固めた女性が街を闊歩しているとき、その人の着ている服に突然大きな破れ目を見つけたら、誰もがあっと驚くであろう。しかし、高級品に実際に破れ目を作るわけにはなかなか行かない。例えカジュアルな安価な物でも、実際に行った場合流行が終われば無駄になるだけである。
【課題を解決するための手段】
【０００４】
前記課題を解決するために、
〔１〕布、紙、皮革、ゴム、ビニール、軟質プラスチック等の薄膜状の、着衣に張り付けられる程度の小片であって、素肌や下着の近似色を着色したもの、または一般に最外側に着用するスーツ等の下側に着する衣類の紋様を施したものを、ピン留めまたは軟接着材により前記最外側に着用するスーツ等の表面に張り付けられる構造としたことを特徴とする。
【０００５】
〔２〕上記〔１〕に記載する手段に、前記最外側に着用するスーツ等の破れてめくれ上がった紋様を施したもの、または破れてめくれ上がった部分を実際に取り付けたものを含むことを特徴とする。
【０００６】
〔３〕布、紙、皮革、ゴム、ビニール、軟質プラスチック等の薄膜状の、着衣に張り付けられる程度の小片であって、前記最外側に着用するスーツ等の近似色または反近似色に着色し、ピン留めまたは軟接着材により前記最外側に着用するスーツ等の表面に張り付けられる構造としたことを特徴とする。
【０００７】
〔４〕上記〔１〕及び上記〔３〕に記載の軟接着材には、マジックテープ（登録商標）、または磁性シートと磁気シートにより前記最外側に着用するスーツ等を表裏から挟むことを含む。
【発明の効果】
【０００８】
本発明による破れ目シールを着衣に張り付ければ、一般通行人や友人は破れた衣類を見てびっくりする。しかし、よくよく見れば作り物だと解り、また本人自らこれをはぎ取って見せると、それがジョークだと解りその場の雰囲気が明るくなり人間関係が良くなる。
【０００９】
継ぎ接ぎシールにしても、背広の下のベストに張り付け、宴席で盛り上がったところで「ちょっと暑いね」などと言いながら背広を脱ぐとバッチリ継ぎが当てられている。一同唖然としているときに、にやりと笑いながらそれをはぎ取ってみせる。そんな演出にその場は盛り上がり当人は衆目の主役となる。本発明はこのように、日常の生活に大いなる潤滑剤を提供する物である。
【発明を実施するための最良の形態】
【００１０】
さらりと見せるため、破れ目、継ぎ接ぎシールはあまり大きい物でなく、作り物だということが目立たないように、縁に布のほころび状の模様を入れたり、衣類の皺や曲がりになめらかに付着するようなるべく薄い物とする。請求項では布、紙、皮革、ゴム、ビニール、軟質プラスチック等としているがそれらに類する薄膜状のものなら種類を問わない。これを張り付ける最外側に着用するスーツ等には、後述するコートやジーンズのほか、鞄や帽子、靴なども含まれる。軟接着剤としては、洗濯のり状のものが適しているが、両面テープなど何度も付けたりはずしたりできるものが望ましい。
【実施例１】
【００１１】
図１により第１実施例について説明する。図１は素肌色のジーンズの破れ目シール１を女性の太股あたりに張りつけた様子を示している。シールの材質は布、紙、皮革、ゴム、ビニール、軟質プラスチック等の薄膜状のものなら何でも良いが、この場合表面が肌の感じに似た皮革を用いている。このような状態を通行人または友人が目撃したとき、ジーンズが破れて肌が露出しているように見え、一様にびっくりする。このようなシールには、張りつけたものと分からないよう、縁に綻び状の模様を付けたり、切り口にギザギザを付けたりすることが望ましい。
【実施例２】
【００１２】
図２及び図３により第２実施例について説明する。図２は男性のコートの背中に、コートの破れ目シール２を張りつけた状態を示している。材質は布地を使用しているが、前期同様柔らかい薄膜状のものなら何でも良い。これは破れてめくれ上がった紋様を描いたシールで、コートの裏生地や内側のスーツの色が現れるので非常に目立ち、他人を驚かせる効果は大きい。
【００１３】
図３は、図２に示したコートの破れ目シール２を実際に破れ目が立体的になるように２枚張り合わせて作った場合の図である。破れ目シール第１膜３に破れ目シール第２膜４が張りつけてある。第１膜３はコートの下に着ているスーツ色（実際にはそれらしい色でかまわない）であり、第２膜４は裏面がコートの裏生地色（実際にはそれらしい色でかまわない）、表面はコートの近似色とする。これをコート表面の元生地６の上に張りつけている。図３ではシール取り付けピン５で止めているが、基本的には洗濯のりのようなものを使用し、脱落防止のため裏から安全ピンのようなもので止めればよい。使用状態は図２に示すものと同じようになる。
【実施例３】
【００１４】
図４により第３実施例について説明する。図４は男性のズボンの裾に継ぎ接ぎシール７を張りつけた状態を示している。この場合はあまりわざとらしくないように、ズボンと同色系のものを使用し、継ぎ接ぎであることだけを目立たせる縫い目を付けている。場合によっては、敢えてわざとらしく、反同色系の布を使用してもかまわない。取り付け方法は実施例１または実施例２と同じである。
【実施例４】
【００１５】
図５により第４実施例について説明する。これは元地６へのシールの付け方の実施例である。元地６の裏側に安全ピン９で磁性シート１０を止め、表から磁気シートを用いた破れ目継ぎ接ぎシール８を張り付けるものである。この場合は軟接着剤等が不要で何回でも自由に付けはずしが可能である。取り付けたときの外見は、図１、図２または図４に示すものと同じになる。
【図面の簡単な説明】
【００１６】
【図１】第１実施例の説明図である。
【図２】第２実施例の説明図である。
【図３】第２実施例のシールの構成図である。
【図４】第３実施例の説明図である。
【図５】第４実施実施例の説明図である。
【符号の説明】
【００１７】
１  ジーンズの破れ目シール
２  コートの破れ目シール
３  破れ目シール第１膜
４  破れ目シール第２膜
５  シール取り付けピン
６  元地
７  継ぎ接ぎシール
８  磁気シートを用いた破れ目継ぎ接ぎシール
９  安全ピン
１０  磁性シート
【図１】
2004263364.tif 000003
【図２】
2004263364.tif 000004
【図３】
2004263364.tif 000005
【図４】
2004263364.tif 000006
【図５】
2004263364.tif 000007